(57)【要約】【課題】ピックアップ装置で掻き上げて搬送手段に向け送り込む飼料作物をガイドする弾性案内杆を、搬送手段が掻込ロータと案内床板と切断刃とで構成されたときに生ずるつまりを防止し得るようにしながら、ピックアップ装置のクロップカバーを開放回動したときに、搬送手段のメンテナンスが安全に行われるようにする。【解決手段】クロップカバー５は、機体ａに設けた支点軸ｐにより上下に回動自在に支架し、このクロップカバー５の下面側のピックアップ装置２の左右の側枠間に渡架する支持杆６０に飼料作物を上方から押さえる弾性案内杆６を組み付け、機体ａには、支点軸ｐの近傍位置に、オン作動によりエンジンＥを停止させる停止スイッチＳを配設し、この停止スイッチＳとクロップカバー５の回動部ｏとの間に、クロップカバー５の上方回動により該停止スイッチＳをオンに作動させる制御手段８を設ける。【選択図】        図１４
2004236550.tif 000002
【特許請求の範囲】
【請求項１】
搭載したエンジンＥにより駆動される走行装置１によって自走して走行する機体ａの前端側に、ピックアップ装置２を装架し、その機体ａの中間部に、前記ピックアップ装置２によりかきあげた飼料作物を後送する搬送手段３を設け、機体ａの後部側に、前記搬送手段３により後送される飼料作物を受け入れてロールベールに成形するベールチャンバー４を設けてなる自走型のロールベーラＡにおいて、機体ａの前面側で、ピックアップ装置２の上方に、そのピックアップ装置２の上面側を囲うクロップカバー５を装設し、そのクロップカバー５は、左右の側枠５０・５０と前枠５１とで外枠状に形成した枠体５ａと、この枠体５ａに取り付けるピックアップ装置２の上方を囲う上面板５２とで構成し、枠体５ａを、それの側枠５０・５０の後端部に装設せる回動部ｏと機体ａに設けた支点軸ｐとの嵌合により機体ａに対し上下に回動自在に支架し、この枠体５ａの下面の前端側に寄る部位におけるピックアップ装置２の左右の側枠間に、支持杆６０を渡架して、これにピックアップ装置２で掻きあげる飼料作物を上方から押さえる弾性案内杆６の基端側を組み付け、機体ａには、支点軸ｐの近傍位置に、オン作動によりエンジンＥを停止させる停止スイッチＳを配設し、この停止スイッチＳと枠体５ａの回動部ｏとの間に、枠体５ａの上方回動により該停止スイッチＳをオンに作動させる制御手段８を設けることを特徴とする自走型ロールベーラにおけるクロップカバー装置。
【請求項２】
弾性案内杆６の基端側を取り付け支持せしめる支持杆６０を、ピックアップ装置２の左右の側枠に回動自在に支架し、その支持杆６０の回動により、弾性案内杆６がピックアップ装置２の上面側に対し開放回動するようにしたことをことを特徴とする請求項１記載の自走型ロールベーラにおけるクロップカバー装置。
【請求項３】
枠体５ａに取り付ける上面板５２の前縁部５２０と枠体５ａの前枠５１との間に空間を形成して、前枠５１を、枠体５ａの開放回動用の把持杆とすることを特徴とする請求項１記載の自走型ロールベーラにおけるクロップカバー装置。
【発明の詳細な説明】
【０００１】
【発明が属する技術分野】
本発明は、牧草・藁稈等をロールベールに成形するロールベーラにおけるクロップカバー装置に関する。
【０００２】
さらに具体的にいえば、搭載したエンジンにより走行装置を駆動して自走して走行する機体の前面側に、圃場に刈倒されている牧草・藁稈等の飼料作物をピックアップするピックアップ装置を装設し、機体の中間部に、前記ピックアップ装置でピックアップした飼料作物を受け継いで後方に移送し、機体の後部側に装設せるベールチャンバーに送り込む搬送手段を装設し、ベールチャンバー内には、そこに送り込まれる飼料作物をロールに成形するロール成形装置を装備せしめておいて、ピックアップする飼料作物を、ベールチャンバー内でロールベールに成形し、これを、リヤチャンバーの開放回動によりベールチャンバーを開放して、機体の後方に放出する形態の自走型のロールベーラにおいて、これの機体の前面側に装設せるピックアップ装置および搬送手段の前半側を覆うように、開閉回動自在に機体に装架されるクロップカバー装置についての改良に関する。
【０００３】
【従来の技術】
上述の形態の自走型のロールベーラにおいて、機体の前面側に装設したピックアップ装置の周囲を覆うカバーを、上方に開放回動するように機体に装架しておく手段は、特開２００２−３１５４３０号公報により知られている。
【０００４】
この手段は、図１にあるように、搭載したエンジンＥにより駆動される走行輪１によって自走して走行する機体ａの前端側に、ピックアップ装置２を装架し、その機体ａの中間部に、ピックアップ装置２でピックアップした飼料作物を後方に搬送する搬送手段３を、図２にあるように、回転軸３０に支架せる伝導輪３１と回転軸３２に支架せる伝導輪３３とにエンドレスにかけまわしたベルト３４によりベルトコンベア状に構成して装設し、機体ａの後部側に、前記搬送手段３により後送される飼料作物を受け入れてベールに成形するベールチャンバー４を装設して、それの内部に受け入れる飼料作物をロールベールに成形していくロール成形装置４０を装設し、かつ、リヤチャンバー４ａを支点軸４ｂ中心に開閉回動するようにして、それの開放回動により成形したロールベールＲを機体ａの後方に放出し得るようにすることで、ロールベーラＡに構成する。
【０００５】
そして、機体ａの前面側に装設せるピックアップ装置２の上方には、前述の図２にあるように、それの周囲を囲うクロップカバー５を配設して、それの後端側に設けた嵌合部を機体ａの前端側に設けた支点軸ｐに嵌合して、図３にあるようその支点軸ｐ中心に後方上方に向け開放回動を可能に機体ａに支架し、かつ、このクロップカバー５の上面板５２の内面に、ピックアップ装置２がそれの回動する持上杆２０によりドラム２１の上面に掻き上げてきた飼料作物を上方から押さえ込む弾性案内杆６の基端部を止着しておいて、このピックアップ装置２のドラム２１の上周面に対向させる弾性案内杆６が、クロップカバー５を開放回動させたときに、そのクロップカバー５と一緒に上方に回動して、ピックアップ装置２の上面側を露出させるようにする。
【０００６】
そしてまた、このクロップカバー５を開放回動させたときに、その回動の作動により、ピックアップ装置２の駆動軸２２と前述の搬送手段３の回転軸３０との間に図４にあるよう装設しておくクラッチ機構ｋがオフに作動するようにしておいて、クロップカバー５を開放回動させてピックアップ装置２の上面側を開放し、このピックアップ装置２のメンテナンスを行うときに、機体ａに装架せるエンジンＥから搬送手段３の回転軸３０を経てピックアップ装置２の駆動軸２２に伝達されてくる回転動力を、このクラッチ機構ｋによりピックアップ装置２の手前において遮断して、ピックアップ装置２の作動を停止させ、それのメンテナンスが安全に行えるようにしているものである。
【０００７】
【発明が解決しようとする課題】
上述の従前のロールベーラＡは、ピックアップ装置２がそれの回動する持上杆２０で掻き上げてきた飼料作物をドラム２１の上面側に押さえ付けるように装設する弾性案内杆６を、ピックアップ装置２の周囲を覆うように設けるクロップカバー５の上面板５２の内面に取り付け止着するようにしていることから、ピックアップ装置２のメンテナンスを行うために、クロップカバー５を開放回動させたときには、クロップカバー５と共に上方に回動することで、メンテナンスを容易にするが、搬送手段３を、図５にあるように、機体ａに固定して設ける案内床板３ａと、これの上面側に並列させて軸支する掻込ロータ３ｂと、案内床板３ａの下方に基端部を固定装設して、先端の刃先を案内床板３ａの上面側に突出させた切断刃３ｃとで構成するようにした場合に、クロップカバー５と共に上方に回動したこの弾性案内杆６が、搬送手段３の前面側の上方を遮閉するようになることで、この搬送手段３のメンテナンスの作業性を悪くする問題がある。
【０００８】
搬送手段３を、このように掻込ロータ３ｂと案内床板３ａと切断刃３ｃとで構成した場合には、掻込ロータ３ｂおよび切断刃３ｃにからみ付く飼料作物の屑を除去するためのメンテナンスの必要が、ピックアップ装置２のメンテナンスよりもむしろ多くなり、掻込ロータ３ｂの掻き込む飼料作物につまりを発生させることが多く、その度にクロップカバー５を開放してつまりを除去しなければならないことでこれのメンテナンスの作業性を悪くする問題は大きい。
【０００９】
しかも、上述の従前手段は、クロップカバー５を開放回動させたときに、ピックアップ装置２の作動は停止させるが、搬送手段３は作動状態を保持し続けるようにしていることで、この搬送手段３のメンテナンスの作業に障害事故を生ぜしめるおそれがあり、安全性に問題がある。
【００１０】
さらに、この弾性案内杆６は、従前手段のものは、ピックアップ装置２で掻き上げた飼料作物を、ベルトコンベア状の搬送手段３に向け誘導するように、クロップカバー５の上面板５２の内面に装架していることで、搬送手段３を前述のように案内床板３ａ上に配位した掻込ロータ３ｂと、案内床板３ａに設けた切断刃３ｃの刃先を、案内床板３ａの下方から上面側に突出させて掻込ロータ３ｂに対向させた構成とした場合には、掻込ロータ３ｂの掻込能力を越えた量の飼料作物が掻き上げられてきたときに、それを均らす作用が不充分で、つまりに対処し得ない問題がある。
【００１１】
本発明は、従前手段に生じている上述の問題を解消すべくなされたものであって、ピックアップ装置で掻き上げて搬送手段に向け送り込む飼料作物をガイドする弾性案内杆を飼料作物の、送り量を均一にならして、搬送手段を掻込ロータと案内床板と切断刃とで構成したときに生ずるつまりを防止し得るようにしながら、メンテナンスのために、ピックアップ装置のクロップカバーを開放回動したときに、搬送手段のメンテナンスに支障を生ぜしめないうようにし、かつ、その搬送手段のメンテナンスが安全に行われるようにすることを目的とする。
【００１２】
【課題を解決するための手段】
そして本発明においては、上述の目的を達成するための手段として、搭載したエンジンＥにより駆動される走行輪１によって自走して走行する機体ａの前端側に、ピックアップ装置２を装架し、その機体ａの中間部に、前記ピックアップ装置２によりかきあげた飼料作物を後送する搬送手段３を設け、機体ａの後部側に、前記搬送手段３により後送される飼料作物を受け入れてロールベールに成形するベールチャンバー４を設けてなる自走型のロールベーラＡにおいて、機体ａの前面側で、ピックアップ装置２の上方に、そのピックアップ装置２の上面側を囲うクロップカバー５を装設し、そのクロップカバー５は、左右の側枠５０・５０と前枠５１とで外枠状に形成した枠体５ａと、この枠体５ａに取り付けるピックアップ装置２の上方を囲う上面板５２とで構成し、枠体５ａを、それの側枠５０・５０の後端部に装設せる回動部ｏと機体ａに設けた支点軸ｐとの嵌合により機体ａに対し上下に回動自在に支架し、この枠体５ａの下面の前端側に寄る部位におけるピックアップ装置２の左右の側枠間に、支持杆６０を渡架して、これにピックアップ装置２で掻きあげる飼料作物を上方から押さえる弾性案内杆６の基端側を組み付け、機体ａには、支点軸ｐの近傍位置に、オン作動によりエンジンＥを停止させる停止スイッチＳを配設し、この停止スイッチＳと枠体５ａの回動部ｏとの間に、枠体５ａの上方回動により該停止スイッチＳをオンに作動させる制御手段８を設けることを特徴とする自走型ロールベーラにおけるクロップカバー装置を提起するものである。
【００１３】
【発明の実施の形態】
次に本発明の実施の態様を、実施例につき図面に随い詳述する。
図６は、本発明手段を実施せる自走型のロールベーラＡの側面図、図７は同上のクロップカバー５を取り外した状態の平面図、図８は同上の同上状態の前面図、図９は同上の同上状態の後面図、図１０は同上のロールベーラＡの縦断面図、図１１は同上ロールベーラＡの斜視図である。
【００１４】
ロールベーラＡは、走行装置１により走行する機体ａの一側に、エンジンＥと座席ｂと操縦装置ｃとを装架し、前端側にはピックアップ装置２を装架し、その後方に搬送手段３を配設し、さらにその後方にベールチャンバー４を装設して、エンジンＥにより走行装置１を駆動して自走走行しながら、そのエンジンＥによりピックアップ装置２および搬送手段３ならびにベールチャンバー４内に装備せるロール成形装置４０を駆動し、ピックアップ装置２でピックアップした飼料作物を、搬送手段３で後送し、ベールチャンバー４内でロールベールＲに成形し、その成形が終了したところで、機体ａのベールチャンバー４の前面側に位置する部位に設けたトワイン装置７から繰り出すトワインｔにより梱包し、機体ａに支点軸４ｂ中心に後方上方に開放回動するように設けたリヤチャンバー４ａを回動させて、成形して梱包したロールベールＲを機体ａの後方に放出するよう構成してあり、これらは、従前の自走式のロールベーラと変わりがなく、通常のロールベーラの構成である。
【００１５】
そして、ピックアップ装置２でピックアップした飼料作物をベールチャンバー４内に送り込む搬送手段３は、この例においては、図１０にあるように、案内床板３ａと、それの上面側に横架軸支する掻込ロータ３ｂと、案内床板３ａの下面側に基端側を固定支架して先端側を案内床板３ａに設けたスリットを介し案内床板３ａの上面側に突出させて、刃縁を前記掻込ロータ３ｂの下面側に対向させた切断刃３ｃとで構成する形態のものとしてあり、掻込ロータ３ｂをエンジンＥの出力軸と伝導機構（図示していない）を介し伝導して駆動し、同図１０において二重線の矢印で示しているように反時計回りに回転させることで、ピックアップ装置２により掻きあげられてくる飼料作物を、案内床板３ａの床面に沿い後送して、切断刃３ｃにより細片に切断してベールチャンバー４内に送り込むようにしてある。
【００１６】
また、機体ａの前面側に装設したピックアップ装置２の上方には、それの回動する持上杆２０により掻きあげられてくる飼料作物の搬送路の上方を覆うクロップカバー５が、それの後端側に設けた回動部ｏを、機体ａに設けた支点軸ｐに回動自在に軸支することで、前端側が支点軸ｐ中心に後方上方に向け開放回動するように設けてある。
【００１７】
このクロップカバー５は、この例においては、図１１にあるように、前後方向に沿う左右の側枠５０・５０とそれらの前端側に渡架される左右方向の前枠５１とで平面視においてチャンネル状をなす外枠状の枠体５ａと、この枠体５ａの左右の側枠５０・５０間に渡架するように組み付ける上面板５２と、枠体５ａの左右の側枠５０・５０からそれぞれ垂下するように設けられる左右の側板５３・５３と、でピックアップ装置２の上面側の周囲を囲うカバーに形成してある。
【００１８】
そして、枠体５ａの左右の側枠５０の各後端側には、機体ａに設けた支点軸ｐにそれぞれ回動自在に嵌合する回動部ｏを設けて、これの支点軸ｐに対する嵌合により、その支点軸ｐ中心に上下に回動するようにし、そのときの下方回動を、図１３および図１４にあるように、左右の側板５３の後端縁に設けたネジ筒５５に螺合する調整部材５６が機体ａの前面側の機壁に衝合することで、その位置よりの下方への回動が阻止されるまでに規制し、また、上方へ回動させたときは、図１２にあるように、搬送手段３の上方を囲う機体ａ前端側の傾斜する天板１０の上面に凭れかかって、その状態位置に保持されるまでの範囲に規制している。
【００１９】
また、このクロップカバー５は、それの枠体５ａの左右の側枠５０・５０間に渡架して、ピックアップ装置２の上面側を囲うように覆う上面板５２を、それの前縁部５２０と枠体５ａの前枠５１との間に、図１１にあるように手の掌を差し込める程度の空間が形成されるように設けてあり、これにより、クロップカバー５を上方後方に向け開放回動させるときに、この空間に手の掌を差し込んで前枠５１を握り込み、この前枠５１を把持部として開放回動させるようにしている。
【００２０】
クロップカバーには、それを機体ａに設けた支点軸ｐ中心に上方に開放回動させたときに、その回動作動によってピックアップ装置２および搬送手段３の駆動をオフとするよう制御作動する制御手段８が連繋してある、これは、上述の如く、枠体５ａを上方に回動させてピックアップ装置２の上方から搬送手段３の始端側の上方を開放したときに、ピックアップ装置２および搬送手段３を作動停止状態として、それらのメンテナンスが安全に行えるようにするためである。
【００２１】
このクロップカバー５の上方回動により制御作動する制御手段８は、図示する実施例においては、図１３および図１４・図１５にあるように、機体ａには、枠体５ａを回動自在に軸支する支点軸ｐの近傍に配位して、支軸８０中心に前後に回動するスイッチレバー８１を設け、それの一端側に設けたガイドピン８２を、機体ａの側板１１に設けておく長穴１２内に嵌挿して、スイッチレバー８１の回動範囲を、そのピン８２が長穴１２内を動く範囲に規制しておき、このレバー８１の他端側にバネ８３を連繋して、一端側に設けた前記ガイドピン８２が、図１９にあるように長穴１２の前端側に位置するように付勢し、また、スイッチレバー８１の他端側の端部にスイッチプレート８４を設けておく。
【００２２】
そして、この状態におけるスイッチレバー８１の他端側のスイッチプレート８４と対向する位置には、図１３〜図１５にあるように、そのスイッチプレート８４に接して作動片８５が押し込まれることでオンに作動し、そのスイッチプレート８４による押し込みが解放されることでオフの位置に復元するスイッチＳを配位して、機体ａの側板１１に熔接などで取り付ける取付金具８６により固定装着し機体ａに固定装設する。
【００２３】
このスイッチＳは、それに具備される一対の極が、前述の作動片８５の押し込みにより互いに接続してオンとなり、押し込みが解除されて作動片８５が復帰することで一対の極と極とが離れてオフとなる通常のものであるが、それの一対の極には、図１３にあるように、エンジンＥに設けてある発電器の回路に接続するアース線ｅと、それに接触させることで発電器の回路を短絡させて火花を出さないようにするショート線ｆとが、配線８７・８８を介して接続させてあって、これにより、このスイッチＳがオンに作動しているときは、エンジンＥの発電器の回路を短絡させてエンジンＥを作動しない状態に保持し、オフになっているときは、発電器の回路を正常の状態としてエンジンＥを作動可能とするエンジンＥの停止スイッチを構成するようにしてある。
【００２４】
そして、このスイッチＳは、前述のスイッチレバー８１の作動によりオン・オフに制御されるが、そのスイッチレバー８１はそれの一端側に設けたガイドピン８２が、機体ａに設けた支点軸ｐと嵌合する回動部ｏの周囲に設けたカムＣに対向させてあり、そのカムＣのカム面は、クロップカバー５が、図１９および図２０にあるようピックアップ装置２の上方を囲う通常の作業位置にあるときには、ガイドピン８２を長穴１２の後端側に押し込んでスイッチプレート８４をバネ８３の付勢に抗して支軸８０中心に図１９において時計方向に回動させ、スイッチプレート８１の他端側のスイッチプレート８４をスイッチＳから離して、スイッチＳをオフの状態とし、また、この状態からクロップカバー５を図２２にあるように少し上方に回動させると、図２１にあるように、カムＣのカム面が前方に偏位して、バネ８３の付勢によるスイッチレバー８１の回動でガイドピン８２が前方に追従して動き、スイッチレバー８１のスイッチプレート８４がスイッチＳの作動片８５に接触する状態とし、この状態からクロップカバー５を図２３・図２４の如く上向きに回動させると、カムＣのカム面がガイドピン８２から離れて、ガイドピン８２が長穴１２の前端縁に衝合してバネ８３によるスイッチレバー８１の回動がストップし、このとき、スイッチプレート８４がスイッチＳの作動片８５を押し込んでスイッチＳをオンとし、従って、エンジンＥは停止状態となり、さらに、この状態位置から枠体５ａを上向き回動させると、以後カムＣのカム面が、図２５・図２６にあるように、長穴１２の前端縁に衝合しているガイドピン８２から離れて、スイッチプレート８４をバネ８３により回動した状態位置に保持し、従って、スイッチＳはオンに保持され、エンジンＥは正常の運転状態に保持される。この状態は、枠体５ａを取り外したときにおいても図２７・図２８にあるように引き続いて保持される。
【００２５】
６は、ピックアップ装置２が掻きあげる飼料作物を、そのピックアップ装置２の搬送路上に押さえ込む弾性案内杆で、クロップカバー５とは別体に形成して、そのクロップカバー５の前端部の下面側に配位して機体ａの前端部となっているピックアップ装置２の左右を支える左右の側壁１１・１１間に渡架した支持杆６０に、基端側を止着することで、この支持杆６０に支架してあり、クロップカバー５を上方後方に回動させたときにおいても、図１２にあるように、ピックアップ装置２の搬送路上の草を押さえる位置に残るようにしてある。
【００２６】
この弾性案内杆６を支持する支持杆６０は、前述の左右の側壁１１・１１に回転自在に支架してあり、その支持杆６０を回転させて、弾性案内杆６をその支持杆６０中心に前方に回動させることで、ピックアップ装置２の搬送路の上面側を開放するようにしてある。
【００２７】
また、この弾性案内杆６の支持杆６０に対する取り付けは、前述の図１０乃至図１５に示している例においては弾性案内杆６の基端部を直接・熔接することで取り付ける形態としてあるが、図１６乃至図１８にあるように、支持杆６０には取付台６００を形成しておいて、これに、弾性案内杆６の基端側に形設しておく取付座板６ａを重合し、セットボルト６１とナット６２とにより締結するようにし、かつ、そのとき、取付台６００に植設されるセットボルト６１に対して、取付座板６ａを、それに設けたボルト穴を介し摺動自在に嵌挿し、バネ６３とバネ押さえ６４を介装してナット６２により締着しておいて、弾性案内杆６に上向きの大きな負荷がかかったときに、取付座板６ａがそれの前端縁ｑを支点として、バネ６３を押し縮めながら上向きに傾斜回動することで、弾性案内杆６がバネ６３の付勢に抗して弾性的に上向き回動するようにし、これにより、大量の草がピックアップ装置２で掻きあげられてきたときに、それに応じて上方に回動して草を受け入れながらその草の量を均して搬送方向に案内するようにする場合がある。
【００２８】
このように構成する本発明手段による自走式ロールベーラにおけるクロップカバー装置は、クロップカバー５を、それの枠体５ａの前枠５１を把持して、それの回動支点である支点軸ｐ中心に上方に少し回動させると、その支点軸ｐに嵌合する回動部ｏに設けたカムＣの回動作動で、制御手段８が作動して、エンジンＥの停止スイッチＳをオンとし、エンジンＥを停止状態として、ピックアップ装置２とそれの後方に続く搬送手段３の作動を停止させ、以後、クロップカバー５を開放側に回動させていくと、それを全開回位置に回動させたときにおいても、この状態を保持し続けるようになる。
【００２９】
そして、このとき、ピックアップ装置２のかきあげた草の搬送路を搬送されていく草を押さえるために、クロップカバー５の下面側に配設する弾性案内杆６が、クロップカバー５とは別体に形成して機体ａの前端側の側板１１・１１間に渡架した支持杆６０に、基端側を取り付け支持せしめてあって、クロップカバー５を開放回動したときに作業位置に残ることで、この弾性案内杆６がクロップカバー５に追従してくることがないから、クロップカバーを開放して搬送手段３に生じた草の詰まりを除去するときの作業が安全に、かつ、弾性案内杆６に邪魔されることなく行えるようになる。
【００３０】
そして、弾性案内杆６を支持杆６０中心に前方に回動させて、ピックアップ装置２の搬送路に生じた詰まりを解除させるときは、この弾性案内杆６を回動させるためには、その前にクロップカバー５を開放回動させることから、ピックアップ装置２および搬送手段３が停止状態に切り換わっているので、安全に行えるようになる。
【００３１】
【発明の効果】
以上説明したように本発明手段は、ピックアップ装置２の上方を囲うクロップカバー５を、基端側の回動部ｏが機体ａに設けた支点軸ｐ中心に上下に回動する枠体５ａに上面板５２を取り付け、その枠体５ａの上方回動によりエンジンＥの停止スイッチＳを作動させるようにしておき、ピックアップ装置２の搬送路の草を押さえるようこのクロップカバー５の下面側に設ける弾性案内杆６を、機体ａの前端側に支架した枠体５ａと別体の支持杆６０に基端側を取り付け支持させることで構成するようにしているのだから、ピックアップ装置２で掻き上げられて搬送手段３に向け送られる草を押さえる弾性案内杆６が、ピックアップ装置２の始端側から作用するようになって、掻き上げられる草の量が多いときにそれを均らすようになって、搬送手段３に掻込ロータ３ｂを用いたときに生ずる詰まりを少なくし、また、その搬送手段３のメンテナンスのために、クロップカバー５を開放回動させたときに、弾性案内杆６がピックアップ装置２の上方に残ることで、搬送手段３のメンテナンスに支障を与えないようになる。
【００３２】
また、クロップカバー５を開放回動させると、エンジンＥを停止させるスイッチＳが作動してエンジンＥを停止させてピックアップ装置２および搬送手段３の作動をストップさせるから、これらのメンテナンスが安全に行えるようになる。
【図面の簡単な説明】
【図１】従前の自走型のロールベーラの側面図である。
【図２】同上の縦断側面図である。
【図３】同上の機体の前半側のクロップカバーの開放回動させた状態の側面図である。
【図４】同上の伝導機構部の展開した平面図である。
【図５】同上の搬送手段を掻込ロータと案内床板と切断刃との組み合わせとした形態の自走型ロールベーラの縦断側面図である。
【図６】本発明手段を実施せる自走型のロールベーラの側面図である。
【図７】同上のクロップカバーを取り外した状態の平面図である。
【図８】同上の同上状態の前面図である。
【図９】同上の同上状態の後面図である。
【図１０】同上自走型のロールベーラの縦断側面図である。
【図１１】同上自走型のロールベーラの機体の前端側の天板を取り外した状態の全体の斜視図である。
【図１２】同上自走型のロールベーラのクロップカバーを全開した状態の斜視図である。
【図１３】同上自走型ロールベーラのクロップカバーとエンジンの停止スイッチとの連繋関係を説明する分解斜視図である。
【図１４】同上の関係を説明する一部破断した斜視図である。
【図１５】同上のエンジンの停止スイッチがクロップカバーの開放によりオンに作動した状態を示す一部破断した斜視図である。
【図１６】同上自走型ロールベーラの側壁間に渡架した支持杆に組み付け止着する弾性案内杆の取り付け部の斜視図である。
【図１７】同上取り付け部の拡大縦断側面図である。
【図１８】同上自走型ロールベーラの弾性案内杆に上向きの大きな負荷がかかった状態時の縦断側面図である。
【図１９】同上自走型ロールベーラのクロップカバーとエンジンの停止スイッチとの連動関係の説明図で、クロップカバーがピックアップ装置の上方を覆う位置にある状態時の要部の拡大縦断側面図である。
【図２０】同上自走型ロールベーラの同上状態時の同上要部の側面図である。
【図２１】同上自走型ロールベーラのクロップカバーを少し上向き回動させた状態時の要部の拡大側面図である。
【図２２】同上自走型ロールベーラの同上状態時の要部の側面図である。
【図２３】同上自走型ロールベーラのクロップカバーをさらに上向き回動させた状態時の要部の拡大側面図である。
【図２４】同上自走型ロールベーラのクロップカバーを全開に回動させた状態時の要部の拡大側面図である。
【図２５】同上自走型ロールベーラの同上状態時の要部の側面図である。
【図２６】同上自走型ロールベーラのクロップカバーを取り外した状態時の要部の拡大側面図である。
【図２７】同上自走型ロールベーラの同上状態時の要部の側面図である。
【図２８】同上ロールベーラのエンジンを作動させた状態でのクロップカバーを開放したときの説明図である。
【図２９】同上状態で搬送手段に生じた詰まりを除去するときの説明図である。
【符号の説明】
Ａ…ロールベーラ、Ｃ…カム、Ｅ…エンジン、Ｒ…ロールベール、Ｓ…スイッチ、ａ…機体、ｂ…座席、ｃ…操縦装置、ｅ…アース線、ｆ…ショート線、ｋ…クラッチ機構、ｏ…回動部、ｐ…支点軸、ｑ…前端縁（支点）、ｔ…トワイン、１…走行装置、１０…天板、１１…側板、１２…長穴、２…ピックアップ装置、２０…持上杆、２１…ドラム、２２…駆動軸、３…搬送手段、３ａ…案内床板、３ｂ…掻込ロータ、３ｃ…切断刃、３０…回転軸、３１…伝導輪、３２…回転軸、３３…伝導輪、３４…ベルト、４…ベールチャンバー、４ａ…リヤチャンバー、４ｂ…支点軸、４０…ロール成形装置、５…クロップカバー、５ａ…枠体、５ｂ…枠杆、５０…側枠、５１…前枠、５２…上面板、５２０…前縁部、５３…側板、５４…側枠、５５…ネジ筒、５６…調整部材、５６…取付台、６…弾性案内杆、６ａ…取付座板、６０…支持杆、６００…取付台、６１…セットボルト、６２…ナット、６３…バネ、６４…バネ押さえ、７…トワイン装置、８…制御手段、８０…支軸、８１…スイッチレバー、８２…ガイドピン、８３…バネ、８４…スイッチプレート、８５…作動片、８６…取付金具、８７・８８…配線。
【図１】
2004236550.tif 000003
【図２】
2004236550.tif 000004
【図３】
2004236550.tif 000005
【図４】
2004236550.tif 000006
【図５】
2004236550.tif 000007
【図６】
2004236550.tif 000008
【図７】
2004236550.tif 000009
【図８】
2004236550.tif 000010
【図９】
2004236550.tif 000011
【図１０】
2004236550.tif 000012
【図１１】
2004236550.tif 000013
【図１２】
2004236550.tif 000014
【図１３】
2004236550.tif 000015
【図１４】
2004236550.tif 000016
【図１５】
2004236550.tif 000017
【図１６】
2004236550.tif 000018
【図１７】
2004236550.tif 000019
【図１８】
2004236550.tif 000020
【図１９】
2004236550.tif 000021
【図２０】
2004236550.tif 000022
【図２１】
2004236550.tif 000023
【図２２】
2004236550.tif 000024
【図２３】
2004236550.tif 000025
【図２４】
2004236550.tif 000026
【図２５】
2004236550.tif 000027
【図２６】
2004236550.tif 000028
【図２７】
2004236550.tif 000029
【図２８】
2004236550.tif 000030
【図２９】
2004236550.tif 000031